【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
フローサイトメータ用のデータ処理設定を決定するためのシステムであって、
校正用粒子を流すように構成されるフローセルと、
それぞれがチャネルと関連付けられかつフローセルを通る光ビームを放射するように、それぞれ構成される、少なくとも２つの光源と、
それぞれが校正ビーズのセットのそれぞれから放射される光を収集するように構成される、それぞれのチャネルと関連付けられる検出器と、
前記検出器のそれぞれからのデータを記録するように構成されるメモリバッファと、
トリガーチャネルのデータ信号閾値を上回るとき、前記トリガーチャネルと関連付けられる第１のデータ収集時間窓からのデータの転送を開始するように構成される、トリガーチャネルと、
前記トリガーチャネルの前記データ信号閾値を上回るとき、第２のチャネルと関連付けられる第２のデータ収集時間窓からのデータを転送するように構成され、前記第２のデータ収集時間窓の前記始動が、前記トリガーチャネルと前記第２のチャネルとの間の空間パスに基づく、第２のチャネルと、
前記データ信号強度閾値を上回る度に、前記第１のデータ収集時間窓からの前記データをデータストレイジに転送するように構成され、かつ、前記データ信号強度閾値を上回る度に、前記第２のデータ収集時間窓からの前記データを前記データストレイジに転送するように構成される、トリガープロセッサと、
前記第２のデータ収集時間窓内のデータ強度ピーク時間の分布を解析し、前記第２のデータ収集時間窓中のデータ強度ピーク時間の前記分布に基づいて時間遅延を計算して、前記第２のデータ収集時間窓中の前記第２のチャネルのデータ信号の位置を確認するように構成される、コンピュータプロセッサと
を備える、システム。
【請求項２】
フィールドプログラマブルゲートアレイを更に備え、前記メモリバッファ及び前記トリガープロセッサが、フィールドプログラマブルゲートアレイのサブコンポーネントである、請求項１に記載のシステム。
【請求項３】
前記放射される光が蛍光性である、請求項１に記載のシステム。
【請求項４】
前記放射される光が散乱性である、請求項１に記載のシステム。
【請求項５】
前記第２のデータ収集時間窓の前記始動が流量に基づく、請求項１に記載のシステム。
【請求項６】
前記第２のデータ収集時間窓の前記始動がシース流体流量に基づく、請求項１に記載のシステム。
【請求項７】
前記空間パスが約８０〜２５０マイクロメートルである、請求項１に記載のシステム。
【請求項８】
前記空間パスが約１５０マイクロメートルである、請求項１に記載のシステム。
【請求項９】
前記データ収集時間窓が約８０〜約１２０ＡＤＣポイントの幅である、請求項１に記載のシステム。
【請求項１０】
前記データ収集時間窓が約３２０〜約３６０ＡＤＣポイントの幅である、請求項１に記載のシステム。
【請求項１１】
フローサイトメータ用の流体診断システムであって、
校正用粒子を流すように構成されるフローセルと、
それぞれがチャネルと関連付けられかつフローセルを通る光ビームを放射するように、それぞれ構成される、少なくとも２つの光源と、
それぞれが校正ビーズのセットのそれぞれから放射される光を収集するように構成される、それぞれのチャネルと関連付けられる検出器と、
前記検出器のそれぞれからのデータを記録するように構成されるメモリバッファと、
トリガーチャネルのデータ信号閾値を上回るとき、前記トリガーチャネルと関連付けられる第１のデータ収集時間窓からのデータの転送を開始するように構成される、トリガーチャネルと、
前記トリガーチャネルの前記データ信号閾値を上回るとき、前記第２のチャネルと関連付けられる第２のデータ収集時間窓からのデータを転送するように構成される、第２のチャネルと、
前記データ信号強度閾値を上回る度に、前記第１のデータ収集時間窓からの前記データをデータストレイジに転送するように構成され、かつ、前記データ信号強度閾値を上回る度に、前記第２のデータ収集時間窓からの前記データを前記データストレイジに転送するように構成される、トリガープロセッサと、
前記第２のデータ収集時間窓内のデータ強度ピーク時間の分布をシステム規格と比較して診断パラメータを決定するように構成される、コンピュータプロセッサと
を備える、システム。
【請求項１２】
フィールドプログラマブルゲートアレイを更に備え、前記メモリバッファ及び前記トリガープロセッサが、前記フィールドプログラマブルゲートアレイのサブコンポーネントである、請求項１１に記載のシステム。
【請求項１３】
前記システム規格が１標準偏差である、請求項１１に記載のシステム。
【請求項１４】
前記システム規格が２標準偏差である、請求項１１に記載のシステム。
【請求項１５】
前記システム規格が３標準偏差である、請求項１１に記載のシステム。
【請求項１６】
前記システム規格が４標準偏差である、請求項１１に記載のシステム。
【請求項１７】
前記システム規格がガウス分布である、請求項１１に記載のシステム。
【請求項１８】
前記システム規格がポアソン分布である、請求項１１に記載のシステム。
【請求項１９】
前記システム規格が任意の統計分布である、請求項１１に記載のシステム。
【請求項２０】
前記放射される光が蛍光性である、請求項１１に記載のシステム。
【請求項２１】
前記放射される光が散乱性である、請求項１１に記載のシステム。
【請求項２２】
前記データ収集時間窓が約８０〜約１２０ＡＤＣポイントの幅である、請求項１１に記載のシステム。
【請求項２３】
前記データ収集時間窓が約３２０〜約３６０ＡＤＣポイントの幅である、請求項１１に記載のシステム。
【請求項２４】
前記診断パラメータが流体圧力に関する、請求項１１に記載のシステム。
【請求項２５】
前記診断パラメータがポンプの機械的摂動に関する、請求項１１に記載のシステム。
【請求項２６】
前記診断パラメータが粒子の到着時間に関する、請求項１１に記載のシステム。
【請求項２７】
前記診断パラメータが層流の安定性に関する、請求項１１に記載のシステム。
【手続補正２】
【補正対象書類名】明細書
【補正対象項目名】００１０
【補正方法】変更
【補正の内容】
【００１０】
一態様において、フローサイトメータ用の流体診断システムが開示される。本システムは、校正用粒子を流すように構成されるフローセルを含み得る。本システムは、それぞれがチャネルと関連付けられ、フローセルを通る、光ビームを放射するようにそれぞれ構成される、少なくとも２つの光源を含み得る。本システムは、それぞれが校正ビーズのセットのそれぞれから放射される光を収集するように構成される、それぞれのチャネルと関連付けられる検出器を含み得る。本システムは、検出器のそれぞれからのデータを記録するように構成されるメモリバッファを含み得る。本システムは、トリガーチャネルのデータ信号閾値を上回るとき、トリガーチャネルと関連付けられる第１のデータ収集時間窓からのデータの転送を開始するように構成される、トリガーチャネルを含み得る。本システムは、トリガーチャネルのデータ信号閾値を上回るとき、第２のチャネルと関連付けられる第２のデータ収集時間窓からのデータを転送するように構成される、第２のチャネルを含み得る。本システムは、データ信号強度閾値を上回る度に、第１のデータ収集時間窓からのデータをデータストレイジに転送し、かつデータ信号強度閾値を上回る度に、第２のデータ収集時間窓からのデータをデータストレイジに転送するように構成される、トリガープロセッサを含み得る。本システムは、第２のデータ収集時間窓内のデータ強度ピーク時間の分布をシステム規格と比較して流体装置システムの健全性を決定するように構成される、コンピュータプロセッサを含み得る。本システムは、メモリバッファ及びトリガープロセッサが、フィールドプログラマブルゲートアレイのサブコンポーネントであり得る、フィールドプログラマブルゲートアレイを更に含み得る。本システムは、１標準偏差であるシステム規格を含み得る。本システムは、２標準偏差であるシステム規格を含み得る。本システムは、３標準偏差であるシステム規格を含み得る。本システムは、４標準偏差であるシステム規格を含み得る。本システムは、ガウス分布であるシステム規格を含み得る。本システムは、ポアソン分布であるシステム規格を含み得る。本システムは、任意の統計分布であるシステム規格を含み得る。本システムは、蛍光性である放射光を含み得る。本システムは、散乱性である放射光を含み得る。本システムは、約８０〜約１２０ＡＤＣポイントの幅であるデータ収集時間窓を含み得る。本システムは、約３２０〜約３６０ＡＤＣポイントの幅であるデータ収集時間窓を含み得る。
[本発明1001]
フローサイトメータ用のデータ処理設定を決定する方法であって、
校正用粒子のセットをフローセルに通すことと、
前記フローセルを通る前記校正用粒子のセットのそれぞれを、それぞれがチャネルと関連付けられる少なくとも2本の光ビームで照射することと、
各チャネルと関連付けられる検出器を用いて、前記校正用粒子のセットのそれぞれから放射される光を収集することと、
各検出器からのデータを記録することと、
トリガーチャネルのデータ信号閾値を上回るとき、前記トリガーチャネルと関連付けられる第1のデータ収集時間窓からのデータの転送を開始するようにトリガーチャネルを設定することと、
前記トリガーチャネルの前記データ信号閾値を上回るとき、第2のチャネルと関連付けられる第2のデータ収集時間窓からのデータを転送するように前記第2のチャネルを設定することであって、前記第2のデータ収集時間窓の前記始動が、前記トリガーチャネルと前記第2のチャネルとの間の空間パスに基づく、第2のチャネルを設定することと、
前記データ信号閾値を上回る度に、前記第1のデータ収集時間窓からのデータをデータストアに記録することと、
前記トリガーチャネルの前記データ信号閾値を上回る度に、前記第2のデータ収集時間窓からのデータを前記データストアに記録することと、
前記第2のデータ収集時間窓内の、データ強度ピーク時間の分布を解析することと、
前記第2のデータ収集時間窓中のデータ強度ピーク時間の前記分布に基づいて時間遅延を計算して、前記第2のデータ収集時間窓中の前記第2のチャネルのデータ信号の位置を確認することと
を含む、方法。
[本発明1002]
前記放射される光が蛍光性である、本発明1001の方法。
[本発明1003]
前記放射される光が散乱性である、本発明1001の方法。
[本発明1004]
前記第2のデータ収集時間窓の前記始動が流量に基づく、本発明1001の方法。
[本発明1005]
前記第2のデータ収集時間窓の前記始動がシース流体流量に基づく、本発明1001の方法。
[本発明1006]
前記空間パスが約80〜250マイクロメートルである、本発明1001の方法。
[本発明1007]
前記空間パスが約150マイクロメートルである、本発明1001の方法。
[本発明1008]
前記データ収集時間窓が約80〜約120ＡＤＣポイントの幅である、本発明1001の方法。
[本発明1009]
前記データ収集時間窓が約320〜約360ＡＤＣポイントの幅である、本発明1001の方法。
[本発明1010]
フローサイトメータ用のデータ処理設定を決定するためのシステムであって、
校正用粒子を流すように構成されるフローセルと、
それぞれがチャネルと関連付けられかつフローセルを通る光ビームを放射するように、それぞれ構成される、少なくとも2つの光源と、
それぞれが校正ビーズのセットのそれぞれから放射される光を収集するように構成される、それぞれのチャネルと関連付けられる検出器と、
前記検出器のそれぞれからのデータを記録するように構成されるメモリバッファと、
トリガーチャネルのデータ信号閾値を上回るとき、前記トリガーチャネルと関連付けられる第1のデータ収集時間窓からのデータの転送を開始するように構成される、トリガーチャネルと、
前記トリガーチャネルの前記データ信号閾値を上回るとき、第2のチャネルと関連付けられる第2のデータ収集時間窓からのデータを転送するように構成され、前記第2のデータ収集時間窓の前記始動が、前記トリガーチャネルと前記第2のチャネルとの間の空間パスに基づく、第2のチャネルと、
前記データ信号強度閾値を上回る度に、前記第1のデータ収集時間窓からの前記データをデータストレイジに転送するように構成され、かつ、前記データ信号強度閾値を上回る度に、前記第2のデータ収集時間窓からの前記データを前記データストレイジに転送するように構成される、トリガープロセッサと、
前記第2のデータ収集時間窓内のデータ強度ピーク時間の分布を解析し、前記第2のデータ収集時間窓中のデータ強度ピーク時間の前記分布に基づいて時間遅延を計算して、前記第2のデータ収集時間窓中の前記第2のチャネルのデータ信号の位置を確認するように構成される、コンピュータプロセッサと
を備える、システム。
[本発明1011]
フィールドプログラマブルゲートアレイを更に備え、前記メモリバッファ及び前記トリガープロセッサが、フィールドプログラマブルゲートアレイのサブコンポーネントである、本発明1010のシステム。
[本発明1012]
前記放射される光が蛍光性である、本発明1010のシステム。
[本発明1013]
前記放射される光が散乱性である、本発明1010のシステム。
[本発明1014]
前記第2のデータ収集時間窓の前記始動が流量に基づく、本発明1010のシステム。
[本発明1015]
前記第2のデータ収集時間窓の前記始動がシース流体流量に基づく、本発明1010のシステム。
[本発明1016]
前記空間パスが約80〜250マイクロメートルである、本発明1010のシステム。
[本発明1017]
前記空間パスが約150マイクロメートルである、本発明1010のシステム。
[本発明1018]
前記データ収集時間窓が約80〜約120ＡＤＣポイントの幅である、本発明1010のシステム。
[本発明1019]
前記データ収集時間窓が約320〜約360ＡＤＣポイントの幅である、本発明1010のシステム。
[本発明1020]
フローサイトメータ用の流体診断方法であって、
校正用粒子のセットをフローセルに通すことと、
前記フローセルを通る前記校正用粒子のセットのそれぞれを、それぞれがチャネルと関連付けられる少なくとも2本の光ビームで照射することと、
各チャネルと関連付けられる検出器を用いて、前記校正用粒子のセットのそれぞれから放射される光を収集することと、
前記検出器のそれぞれからのデータを記録することと、
トリガーチャネルのデータ信号閾値を上回るとき、前記トリガーチャネルと関連付けられる第1のデータ収集時間窓からのデータの転送を開始するようにトリガーチャネルを設定することと、
前記トリガーチャネルの前記データ信号閾値を上回るとき、第2のチャネルと関連付けられる第2のデータ収集時間窓からのデータを転送するように前記第2のチャネルを設定することと、
前記データ信号閾値を上回る度に、前記第1のデータ収集時間窓からのデータをデータストアに記録することと、
前記トリガーチャネルの前記データ信号閾値を上回る度に、前記第2のデータ収集時間窓からのデータを前記データストアに記録することと、
前記第2のデータ収集時間窓内のデータ強度ピーク時間の分布を解析し、前記分布をシステム規格と比較して診断パラメータを決定することと
を含む、方法。
[本発明1021]
前記システム規格が1標準偏差である、本発明1020の方法。
[本発明1022]
前記システム規格が2標準偏差である、本発明1020の方法。
[本発明1023]
前記システム規格が3標準偏差である、本発明1020の方法。
[本発明1024]
前記システム規格が4標準偏差である、本発明1020の方法。
[本発明1025]
前記システム規格がガウス分布である、本発明1020の方法。
[本発明1026]
前記システム規格がポアソン分布である、本発明1020の方法。
[本発明1027]
前記システム規格が任意の統計分布である、本発明1020の方法。
[本発明1028]
前記放射される光が蛍光性である、本発明1020の方法。
[本発明1029]
前記放射される光が散乱性である、本発明1020の方法。
[本発明1030]
前記データ収集時間窓が約80〜約120ＡＤＣポイントの幅である、本発明1020の方法。
[本発明1031]
前記データ収集時間窓が約320〜約360ＡＤＣポイントの幅である、本発明1020の方法。
[本発明1032]
フローサイトメータ用の流体診断システムであって、
校正用粒子を流すように構成されるフローセルと、
それぞれがチャネルと関連付けられかつフローセルを通る光ビームを放射するように、それぞれ構成される、少なくとも2つの光源と、
それぞれが校正ビーズのセットのそれぞれから放射される光を収集するように構成される、それぞれのチャネルと関連付けられる検出器と、
前記検出器のそれぞれからのデータを記録するように構成されるメモリバッファと、
トリガーチャネルのデータ信号閾値を上回るとき、前記トリガーチャネルと関連付けられる第1のデータ収集時間窓からのデータの転送を開始するように構成される、トリガーチャネルと、
前記トリガーチャネルの前記データ信号閾値を上回るとき、前記第2のチャネルと関連付けられる第2のデータ収集時間窓からのデータを転送するように構成される、第2のチャネルと、
前記データ信号強度閾値を上回る度に、前記第1のデータ収集時間窓からの前記データをデータストレイジに転送するように構成され、かつ、前記データ信号強度閾値を上回る度に、前記第2のデータ収集時間窓からの前記データを前記データストレイジに転送するように構成される、トリガープロセッサと、
前記第2のデータ収集時間窓内のデータ強度ピーク時間の分布をシステム規格と比較して診断パラメータを決定するように構成される、コンピュータプロセッサと
を備える、システム。
[本発明1033]
フィールドプログラマブルゲートアレイを更に備え、前記メモリバッファ及び前記トリガープロセッサが、前記フィールドプログラマブルゲートアレイのサブコンポーネントである、本発明1032のシステム。
[本発明1034]
前記システム規格が1標準偏差である、本発明1032のシステム。
[本発明1035]
前記システム規格が2標準偏差である、本発明1032のシステム。
[本発明1036]
前記システム規格が3標準偏差である、本発明1032のシステム。
[本発明1037]
前記システム規格が4標準偏差である、本発明1032のシステム。
[本発明1038]
前記システム規格がガウス分布である、本発明1032のシステム。
[本発明1039]
前記システム規格がポアソン分布である、本発明1032のシステム。
[本発明1040]
前記システム規格が任意の統計分布である、本発明1032のシステム。
[本発明1041]
前記放射される光が蛍光性である、本発明1032のシステム。
[本発明1042]
前記放射される光が散乱性である、本発明1032のシステム。
[本発明1043]
前記データ収集時間窓が約80〜約120ＡＤＣポイントの幅である、本発明1032のシステム。
[本発明1044]
前記データ収集時間窓が約320〜約360ＡＤＣポイントの幅である、本発明1032のシステム。
[本発明1045]
前記診断パラメータが流体圧力に関する、本発明1020の方法。
[本発明1046]
前記診断パラメータがポンプの機械的摂動に関する、本発明1020の方法。
[本発明1047]
前記診断パラメータが粒子の到着時間に関する、本発明1020の方法。
[本発明1048]
前記診断パラメータが層流の安定性に関する、本発明1020の方法。
[本発明1049]
前記診断パラメータが流体圧力に関する、本発明1032のシステム。
[本発明1050]
前記診断パラメータがポンプの機械的摂動に関する、本発明1032のシステム。
[本発明1051]
前記診断パラメータが粒子の到着時間に関する、本発明1032のシステム。
[本発明1052]
前記診断パラメータが層流の安定性に関する、本発明1032のシステム。